(57)【要約】      （修正有）【課題】マイクロ波のロスを減らして、生体組織に対してマイクロ波の照射による効率的な焼灼を行うことができる内視鏡用マイクロ波照射器具を提供する。【解決手段】同軸ケーブルの中心導体１２に接続された第１鉗子片３１ａと、外部導体１４に接続された第２鉗子片３１ｂと、第１鉗子片３１ａおよび第２鉗子片３１ｂをそれらの先端以外の箇所で相互に絶縁可能にかつ回動軸を中心に回動可能に連結する絶縁スペーサ３３とを有し、第１鉗子片３１ａは、回動軸よりも同軸ケーブル側の端部で同軸ケーブルの中心導体１２に直接に接続されており、第１鉗子片３１ａおよび第２鉗子片３１ｂは、同軸ケーブルがアウタシース１０内で軸線方向に変位するとき、先端側で開閉動する。【選択図】図５
2020163001.tif 000002
【特許請求の範囲】
【請求項１】
エネルギー伝送用のケーブルと、該ケーブルの先端に接続されたマイクロ波照射部と、前記ケーブルを収納するアウタシースと、を備えた内視鏡用マイクロ波照射器具であって、
前記ケーブルが、中心導体と、該中心導体を取り囲む筒状絶縁体と、該筒状絶縁体を取り囲む外部導体と、を有する同軸ケーブルで構成されるとともに、
前記マイクロ波照射部が、前記中心導体に接続された第１可動アームと、前記外部導体に接続された第２可動アームと、前記第１可動アームおよび前記第２可動アームをそれらの先端以外の箇所で相互に絶縁可能にかつ所定の回動軸を中心に回動可能に連結する絶縁連結部材と、前記アウタシースに一体に固定されるとともに前記絶縁連結部材を前記回動軸方向の両側から保持する両側保持部材とを有しており、
前記同軸ケーブルが、前記アウタシース内に軸線方向に変位可能に収納され、
前記第１可動アームは、前記回動軸よりも前記同軸ケーブル側の端部で前記同軸ケーブルの前記中心導体に直接に接続されており、
前記第１可動アームおよび前記第２可動アームは、前記同軸ケーブルが前記アウタシース内で前記軸線方向に変位するとき、前記先端側で開閉動することを特徴とする内視鏡用マイクロ波照射器具。
【請求項２】
前記第１可動アームおよび前記第２可動アームは、前記先端側で開閉動可能な鉗子を構成していることを特徴とする請求項１に記載の内視鏡用マイクロ波照射器具。
【請求項３】
前記両側保持部材は、前記絶縁連結部材を保持する一対の平行アーム部と、両平行アーム部の基端側部分を前記アウタシースに一体に固定する環状部とを有していることを特徴とする請求項１または２に記載の内視鏡用マイクロ波照射器具。
【請求項４】
前記中心導体は、前記筒状絶縁体および前記外部導体から所定長さだけ露出した露出部分を有しており、
前記第１可動アームは、前記回動軸よりも前記同軸ケーブル側の端部で前記中心導体の露出部分に操作力伝達可能に接続されており、
前記第２可動アームは、前記回動軸よりも前記同軸ケーブル側の端部で導電性のプルワイヤを介して前記外部導体に操作力伝達可能に接続されていることを特徴とする請求項１ないし３のいずれか一項に記載の内視鏡用マイクロ波照射器具。
【発明の詳細な説明】
【技術分野】
【０００１】
本発明は、内視鏡を利用してマイクロ波により止血等の処置を行うための内視鏡用マイクロ波照射器具に関する。
【背景技術】
【０００２】
従来、内視鏡を利用してマイクロ波により生体組織の止血等の処置を行う内視鏡用鉗子型処置具が用いられている。鉗子型処置具としての例えばバイポーラ止血鉗子は、内視鏡の処置具案内管に通されるシースの先端に配置された一対の電極（鉗子片）の開閉を、シースの後端に設けられた操作部により操作できるようになっている。該一対の鉗子片が血管等の生体組織を把持した状態で該一対の鉗子片にマイクロ波が供給されることにより、該把持部近傍の組織を焼灼凝固させ、止血を行うことができる（例えば、特許文献１参照）。
【０００３】
特許文献１に記載された技術では、一対の鉗子片にマイクロ波エネルギーを供給する手段として、同軸ケーブルが用いられている。一対の鉗子片の一方は、同軸ケーブルの中心導体を介してマイクロ波電源の高圧側端子と接続されている。また、一対の鉗子片の他方は、同軸ケーブルの外部導体を介してマイクロ波電源の接地側端子と接続されている。マイクロ波電源の出力が同軸ケーブルで伝送されることによって、一対の鉗子片の間にマイクロ波の電場が形成される。
【０００４】
なお、中心導体の先端の剥き出し部分の外周には、金属製の内側接続パイプが嵌め込まれている。内側接続パイプと中心導体とは半田付けにて一体化されている。また、一対の鉗子片の基筒部の内部には、金属製の外側接続パイプが嵌め込まれている。基筒部と外側接続パイプとは、溶接等によって一体化されている。さらに、外側接続パイプは、内側接続パイプの外周に嵌め込まれ、内側接続パイプとレーザ溶接等によって一体化されている。これによって、中心導体が、内側接続パイプおよび外側接続パイプを順次介して、一対の鉗子片の一方と電気的に接続されている。
【先行技術文献】
【特許文献】
【０００５】
【特許文献１】特許第６２６７３３９号公報
【発明の概要】
【発明が解決しようとする課題】
【０００６】
しかしながら、特許文献１に開示されたような従来の鉗子型処置具では、中心導体と内側接続パイプとの接続部や、内側接続パイプと外側接続パイプとの接続部などで、マイクロ波のロスが生じるという問題があった。
【０００７】
本発明は、このような従来の課題を解決するためになされたものであって、マイクロ波のロスを減らして、生体組織に対してマイクロ波の照射による効率的な焼灼を行うことができる内視鏡用マイクロ波照射器具を提供することを目的とする。
【課題を解決するための手段】
【０００８】
上記課題を解決するために、本発明に係る内視鏡用マイクロ波照射器具は、エネルギー伝送用のケーブルと、該ケーブルの先端に接続されたマイクロ波照射部と、前記ケーブルを収納するアウタシースと、を備えた内視鏡用マイクロ波照射器具であって、前記ケーブルが、中心導体と、該中心導体を取り囲む筒状絶縁体と、該筒状絶縁体を取り囲む外部導体と、を有する同軸ケーブルで構成されるとともに、前記マイクロ波照射部が、前記中心導体に接続された第１可動アームと、前記外部導体に接続された第２可動アームと、前記第１可動アームおよび前記第２可動アームをそれらの先端以外の箇所で相互に絶縁可能にかつ所定の回動軸を中心に回動可能に連結する絶縁連結部材と、前記アウタシースに一体に固定されるとともに前記絶縁連結部材を前記回動軸方向の両側から保持する両側保持部材とを有しており、前記同軸ケーブルが、前記アウタシース内に軸線方向に変位可能に収納され、前記第１可動アームは、前記回動軸よりも前記同軸ケーブル側の端部で前記同軸ケーブルの前記中心導体に直接に接続されており、前記第１可動アームおよび前記第２可動アームは、前記同軸ケーブルが前記アウタシース内で前記軸線方向に変位するとき、前記先端側で開閉動する構成である。
【０００９】
この構成により、本発明に係る内視鏡用マイクロ波照射器具は、第１可動アームが同軸ケーブルの中心導体に直接に接続されているため、マイクロ波のロスを減らして、第１可動アームおよび第２可動アームに把持された生体組織に対してマイクロ波の照射による効率的な焼灼を行うことができる。
【００１０】
また、本発明に係る内視鏡用マイクロ波照射器具においては、前記第１可動アームおよび前記第２可動アームは、前記先端側で開閉動可能な鉗子を構成していてもよい。
【００１１】
この構成により、本発明に係る内視鏡用マイクロ波照射器具は、簡易な構成のバイポーラ止血鉗子を実現できる。
【００１２】
また、本発明に係る内視鏡用マイクロ波照射器具においては、前記両側保持部材は、前記絶縁連結部材を保持する一対の平行アーム部と、両平行アーム部の基端側部分を前記アウタシースに一体に固定する環状部とを有していてもよい。
【００１３】
この構成により、本発明に係る内視鏡用マイクロ波照射器具は、両側保持部材および絶縁連結部材により第１可動アームおよび第２可動アームの回動軸の位置をアウタシースに対して固定することができる。
【００１４】
また、本発明に係る内視鏡用マイクロ波照射器具においては、前記中心導体は、前記筒状絶縁体および前記外部導体から所定長さだけ露出した露出部分を有しており、前記第１可動アームは、前記回動軸よりも前記同軸ケーブル側の端部で前記中心導体の露出部分に操作力伝達可能に接続されており、前記第２可動アームは、前記回動軸よりも前記同軸ケーブル側の端部で導電性のプルワイヤを介して前記外部導体に操作力伝達可能に接続されている構成であってもよい。
【００１５】
この構成により、本発明に係る内視鏡用マイクロ波照射器具は、同軸ケーブルがアウタシース内で軸線方向に変位するとき、中心導体の露出部分と外部導体に接続されたプルワイヤとに操作力が伝達されることによって、第１可動アームおよび第２可動アームをそれらの先端側で開閉動させることができる。
【発明の効果】
【００１６】
本発明は、マイクロ波のロスを減らして、生体組織に対してマイクロ波の照射による効率的な焼灼を行うことができる内視鏡用マイクロ波照射器具を提供するものである。
【図面の簡単な説明】
【００１７】
【図１】本発明の実施形態に係る内視鏡用マイクロ波照射器具の全体構成を示す平面図である。
【図２】図１のＩ−Ｉ線断面図である。
【図３】本発明の実施形態に係る内視鏡用マイクロ波照射器具のマイクロ波照射部の構成を示す斜視図である。
【図４】本発明の実施形態に係る内視鏡用マイクロ波照射器具の鉗子部と同軸ケーブルとの接続構造を示す平面図である。
【図５】本発明の実施形態に係る内視鏡用マイクロ波照射器具のマイクロ波照射部の内部構造を示す概略断面図であり、（ａ）は鉗子部が開いている状態を示し、（ｂ）は鉗子部が閉じている状態を示している。
【図６】本発明の実施形態に係る内視鏡用マイクロ波照射器具のマイクロ波照射部の変形例を示す斜視図である。
【発明を実施するための形態】
【００１８】
以下、本発明に係る内視鏡用マイクロ波照射器具１の実施形態について、図面を用いて説明する。なお、各図面上の各構成の寸法比は、実際の寸法比と必ずしも一致していない。
【００１９】
図１に示すように、本実施形態の内視鏡用マイクロ波照射器具１は、エネルギー伝送用のケーブルとしての同軸ケーブル１１と、同軸ケーブル１１を収納するアウタシース１０と、操作部２０と、同軸ケーブル１１の先端に接続されたマイクロ波照射部３０と、を備える。アウタシース１０の近位端には操作部２０が設けられ、アウタシース１０の遠位端にはマイクロ波照射部３０が設けられている。
【００２０】
アウタシース１０は可撓性を有する中空チューブからなり、絶縁性の樹脂から形成されたチューブが用いられている。アウタシース１０を形成する樹脂材料としては、電気絶縁材料であれば特に制限はなく、ポリエチレン、ポリプロピレン、ポリ塩化ビニル、ポリウレタン、ポリアミド、ポリエステル、ポリカーボネート、ポリエーテルスルホン、フッ素樹脂等を用いることができる。
【００２１】
図２に示すように、同軸ケーブル１１は、中心導体１２と、中心導体１２を取り囲む筒状絶縁体１３と、筒状絶縁体１３を取り囲む外部導体１４と、他部材から電気的に絶縁するために外部導体１４を覆う絶縁被覆部１５と、を一体で有している。同軸ケーブル１１は、アウタシース１０内に挿通され、アウタシース１０内に軸線方向に変位可能に収納されている。
【００２２】
同軸ケーブル１１の近位端１１ａには、マイクロ波用のコネクタ１８が接続され、遠位端にはマイクロ波照射部３０が接続されている。マイクロ波照射部３０は、コネクタ１８および同軸ケーブル１１を介してマイクロ波電源装置（不図示）に接続できるようになっている。使用するマイクロ波の周波数は、例えば２４５０ＭＨｚであり、従来の高周波処置具に用いられる高周波電流の周波数（数百ＭＨｚ）よりも高い。
【００２３】
同軸ケーブル１１の各構成部分のサイズ、材質は、内視鏡の処置具案内管内を挿通可能でかつ、所望のマイクロ波を効率的に伝送可能となるように設定される。限定するものではないが、例えば、中心導体１２は、銅線、銅被覆鋼線、または鉄製の線などから構成され、その直径は０．２〜０．４ｍｍである。筒状絶縁体１３は、例えば、直径が０．６〜１．２ｍｍである。外部導体１４は、例えば、銅編組線から構成され、その厚みは０．０８〜０．２ｍｍである。絶縁被覆部１５の厚みは、例えば、０．０５〜０．１ｍｍである。
【００２４】
操作部２０は、ベース２１と、スライダ２２と、先端キャップ２３とを備えている。ベース２１は、指輪部２１ａと、ガイド溝を有するガイド部２１ｂとを有している。スライダ２２は、ベース２１のガイド部２１ｂに沿って前後（図１において左右）に摺動（スライド）可能に取り付けられている。ベース２１の先端（遠位端）には先端キャップ２３が取り付けられている。ベース２１、スライダ２２および先端キャップ２３は、主として絶縁性の樹脂から形成されている。
【００２５】
先端キャップ２３はその先端部側の内側に略筒状の空間を備えており、先端キャップ２３の先端に形成された貫通部を介して、アウタシース１０の近位端が挿入されている。
【００２６】
同軸ケーブル１１は、アウタシース１０内に挿通され、操作部２０においてスライダ２２をベース２１に対して前後（図１において左右）にスライドさせることにより、アウタシース１０内で摺動（軸線方向に沿う方向のスライド移動）が可能となっている。すなわち、同軸ケーブル１１は、操作部２０の操作に応じて、マイクロ波照射部３０に設けられた鉗子部３１を開閉するためのスライド力を伝達する動力伝達部材として機能する。
【００２７】
また、同軸ケーブル１１の近位端側の部分は操作部２０から引き出され、その近位端１１ａにコネクタ１８が取り付けられている。同軸ケーブル１１の遠位端では、中心導体１２が第１鉗子片（第１可動アーム）３１ａに電気的に接続され、外部導体１４が第２鉗子片（第２可動アーム）３１ｂに電気的に接続されている。コネクタ１８に接続されたマイクロ波電源装置により生成されたマイクロ波は、同軸ケーブル１１を通って第１鉗子片３１ａおよび第２鉗子片３１ｂに送られる。すなわち、同軸ケーブル１１は、マイクロ波のエネルギーを伝送するエネルギー伝送部材として機能する。
【００２８】
マイクロ波照射部３０は、図３〜図５に示すように、一対の電極である第１鉗子片３１ａおよび第２鉗子片３１ｂからなる鉗子部３１と、絶縁性を有する樹脂からなる両側保持部材３２と、絶縁性を有する樹脂からなる絶縁連結部材としての絶縁スペーサ３３とを備えている。
【００２９】
第１鉗子片３１ａおよび第２鉗子片３１ｂは、例えばステンレス鋼等の金属からなる導電性の部材からなる。図３に示すように、第１鉗子片３１ａおよび第２鉗子片３１ｂの把持部の先端側には、先端凸歯３１ｅが形成されている。先端凸歯３１ｅの中央部分には、後述する回動軸Ｌ（Ｘ軸方向）に略直交する方向（以下、縦方向ともいう）に沿って単一の先端縦溝３１ｆが形成されている。先端凸歯３１ｅに先端縦溝３１ｆを設けることにより、鉗子部３１に把持された体内組織の回動軸Ｌに沿う方向（以下、横方向ともいう）への滑り抜けを抑制することができ、安定した把持を実現することができる。
【００３０】
両側保持部材３２は、略円筒状の首部３２ｄ（図５参照）を有する円筒状の環状部３２ｃと、環状部３２ｃからＺ軸方向に突出してＸ軸方向に互いに対向する一対の平行アーム部（第１アーム部、第２アーム部）３２ａ，３２ｂとを有する。なお、図面において、Ｘ軸、Ｙ軸およびＺ軸は、相互に垂直である。
【００３１】
図３に示すように、第１アーム部３２ａおよび第２アーム部３２ｂのそれぞれの先端部近傍には、絶縁スペーサ３３と、絶縁スペーサ３３を固定するための金属製ピンなどの回動軸部３４とを取り付けるための凹部３２ｅが設けられている。
【００３２】
絶縁スペーサ３３は、一対の平行アーム部３２ａ，３２ｂによって回動軸部３４の軸（回動軸Ｌ）方向の両側から保持され、第１鉗子片３１ａおよび第２鉗子片３１ｂをそれらの先端以外の箇所で相互に絶縁可能にかつ回動軸Ｌを中心に回動可能に連結するようになっている。絶縁スペーサ３３には回動軸部３４の取付孔として、断面形状が略円形状である貫通孔３３ｂ（図５参照）が形成されている。
【００３３】
両側保持部材３２の環状部３２ｃおよび首部３２ｄには、同軸ケーブル１１を貫通させる貫通孔３２ｆが形成されている。貫通孔３２ｆの内径は、同軸ケーブル１１の外部導体１４の外径より大きく、環状部３２ｃの外径は、内視鏡内を滑らかにスライドするように、アウタシース１０の外径と略同じである。
【００３４】
環状部３２ｃは、両平行アーム部３２ａ，３２ｂの基端側部分をアウタシース１０の遠位端に一体に固定するようになっている。あるいは、環状部３２ｃは、アウタシース１０の遠位端に回転可能に取り付けられていてもよい。この場合には、操作部２０を回転させることにより、アウタシース１０内で同軸ケーブル１１をその軸線周りに回転させることができる。すなわち、同軸ケーブル１１は、鉗子部３１をその姿勢調整のためにシース軸線周りに回転させる回転力を伝達する動力伝達部材として機能する。
【００３５】
図４に示すように、同軸ケーブル１１は、遠位端側から順に、中心導体１２が所定長さ分だけ露出し、筒状絶縁体１３が所定長さ分だけ露出し、外部導体１４が所定長さ分だけ露出している。すなわち、マイクロ波照射部３０において、中心導体１２は、筒状絶縁体１３および外部導体１４から所定長さだけ露出した露出部分１２ａを有している。第１鉗子片３１ａは、回動軸Ｌよりも同軸ケーブル１１側の端部で中心導体１２の露出部分１２ａに直接に操作力伝達可能に接続されている。また、第２鉗子片３１ｂは、回動軸Ｌよりも同軸ケーブル１１側の端部で導電性のプルワイヤ１４ａを介して外部導体１４に操作力伝達可能に接続されている。プルワイヤ１４ａは、例えば、銅、鉄、ステンレス鋼などの導電性材料で構成され、半田付け等により外部導体１４に電気的に接続されている。
【００３６】
同軸ケーブル１１のスライドに伴い中心導体１２の露出部分１２ａおよびプルワイヤ１４ａを介してそのスライド力が第１鉗子片３１ａおよび第２鉗子片３１ｂに伝達されることにより、第１鉗子片３１ａおよび第２鉗子片３１ｂを開閉させることができるようになっている。第１鉗子片３１ａおよび第２鉗子片３１ｂは、回動軸Ｌを中心として絶縁スペーサ３３に対して相互に回動して近づき、鉗子部３１が閉じられ、処置すべき患部を鉗子片の把持部で挟み込むことが可能になっている。鉗子部３１を開く場合には、その反対の動作を行えばよい。すなわち、同軸ケーブル１１がアウタシース１０内で軸線方向に変位するとき、バイポーラ止血鉗子を構成する第１鉗子片３１ａおよび第２鉗子片３１ｂがそれらの先端側で開閉動するようになっている。
【００３７】
鉗子部３１を構成する第１鉗子片３１ａおよび第２鉗子片３１ｂは、互いに略Ｘ字状となるように、絶縁スペーサ３３により互いに電気的に絶縁された状態で回動可能に支持され、この状態で、両側保持部材３２の第１アーム部３２ａおよび第２アーム部３２ｂ間に配置される。
【００３８】
第１鉗子片３１ａおよび第２鉗子片３１ｂには、図５に示すように、その中間部分に断面が略円形の軸孔３１ｃが形成されており、後端側には、中心導体１２の露出部分１２ａまたはプルワイヤ１４ａを取り付けるための貫通孔３１ｇが形成されている。中心導体１２の露出部分１２ａの遠位端は第１鉗子片３１ａの貫通孔３１ｇに接続されており、プルワイヤ１４ａの遠位端は第２鉗子片３１ｂの貫通孔３１ｇに接続されている。
【００３９】
第１鉗子片３１ａは、その軸孔３１ｃに絶縁スペーサ３３の軸部３３ａが挿入されることにより、絶縁スペーサ３３に回転可能に軸支される。同様に、第２鉗子片３１ｂはその軸孔（不図示）に絶縁スペーサ３３の軸部（不図示）が挿入されることにより、絶縁スペーサ３３に回転可能に軸支される。また、絶縁スペーサ３３の２つの軸部３３ａの先端部は、それぞれ両側保持部材３２の第１アーム部３２ａおよび第２アーム部３２ｂの凹部３２ｅに嵌め込まれている。回動軸部３４は、絶縁スペーサ３３の軸部３３ａの中央の貫通孔３３ｂに挿通されている。これにより、図１に示すように、絶縁スペーサ３３に回転可能に軸支された第１鉗子片３１ａおよび第２鉗子片３１ｂが一対の平行アーム部３２ａ，３２ｂ間に支持される。
【００４０】
中心導体１２の露出部分１２ａと、外部導体１４に接続されたプルワイヤ１４ａは、鉗子部３１の開閉時に互いに接触する可能性のある箇所が互いに絶縁されている必要がある。例えば、図５に示すように、露出部分１２ａおよびプルワイヤ１４ａにはそれぞれ絶縁チューブ１６，１７による絶縁被覆が施されている。絶縁チューブ１６，１７を形成する樹脂材料としては、特に限定されないが、例えば、ポリエチレン、ポリプロピレン、ポリ塩化ビニル、ポリウレタン、ポリアミド、ポリエステル、ポリカーボネート、ポリエーテルスルホン、フッ素樹脂等を用いることができる。あるいは、絶縁チューブ１６，１７の代わりに、露出部分１２ａおよびプルワイヤ１４ａに、絶縁コーティング膜が被覆されていてもよい。絶縁コーティング膜の材質としては、特に限定されないが、例えば、フッ素樹脂、ポリイミド樹脂、セラミックス等を用いることができる。
【００４１】
図６は、本実施形態に係る内視鏡用マイクロ波照射器具１のマイクロ波照射部３０の変形例を示す。図６に示すように、第１鉗子片３１ａおよび第２鉗子片３１ｂの把持部には、横方向に延在する複数の山歯３１ｄが縦方向に並列して形成されている。第１鉗子片３１ａおよび第２鉗子片３１ｂに複数（本例では、４本）の山歯３１ｄを設けることにより、鉗子部３１に把持された体内組織の縦方向への滑り抜けが抑制できる。
【００４２】
次に、内視鏡用マイクロ波照射器具１の動作について説明する。
【００４３】
内視鏡用マイクロ波照射器具１は、図５（ｂ）に示すように、マイクロ波照射部３０の鉗子部３１が閉じた状態で内視鏡の処置具案内管（不図示）に挿入される。マイクロ波照射部３０が体内の処置すべき生体組織の近傍に達したならば、操作部２０のベース２１のガイド部２１ｂに沿ってスライダ２２をアウタシース１０側に（図１において左側に）スライドさせて、アウタシース１０内で同軸ケーブル１１を遠位端側にスライド移動させる。このとき、同軸ケーブル１１の中心導体１２の露出部分１２ａおよびプルワイヤ１４ａの弾性により、第１鉗子片３１ａおよび第２鉗子片３１ｂが回動軸部３４を支点として略ハの字状に開いた状態となる（図５（ａ）参照）。
【００４４】
次に、スライダ２２を指輪部２１ａ側に（図１において右側に）スライドさせて、アウタシース１０内で同軸ケーブル１１を近位端側にスライド移動させる。このとき、同軸ケーブル１１の中心導体１２の露出部分１２ａおよびプルワイヤ１４ａがアウタシース１０側に引き寄せられることで、第１鉗子片３１ａおよび第２鉗子片３１ｂが回動軸部３４を支点として閉じた状態に移行しようとする。この操作により、目標の生体組織を第１鉗子片３１ａと第２鉗子片３１ｂとによって一時的に把持する。
【００４５】
この状態で、マイクロ波電源装置をオンにしてマイクロ波を供給することにより、中心導体１２に電気的に接続された第１鉗子片３１ａと外部導体１４に電気的に接続された第２鉗子片３１ｂとの間で照射されたマイクロ波が、第１鉗子片３１ａと第２鉗子片３１ｂとにより把持された生体組織に照射され、生体組織を焼灼凝固させ、止血することができる。マイクロ波は、空気中よりも生体組織中に伝わりやすいので、目標とする生体組織に効果的にマイクロ波のエネルギーを与えることができる。
【００４６】
止血処置が終了したならば、マイクロ波電源装置をオフにしてマイクロ波の供給を停止し、スライダ２２をアウタシース１０側に（図１において左側に）スライドさせて、第１鉗子片３１ａおよび第２鉗子片３１ｂを開いて把持されていた生体組織を解放する。その後、第１鉗子片３１ａおよび第２鉗子片３１ｂが閉じた状態で内視鏡の処置具案内管から抜き出して、一連の作業（処置）を終了する。
【００４７】
以上説明したように、本実施形態に係る内視鏡用マイクロ波照射器具１は、第１鉗子片３１ａが同軸ケーブル１１の中心導体１２に直接に接続されているため、マイクロ波のロスを減らして、第１鉗子片３１ａおよび第２鉗子片３１ｂに把持された生体組織に対してマイクロ波の照射による効率的な焼灼を行うことができる。
【００４８】
また、本実施形態に係る内視鏡用マイクロ波照射器具１は、第１鉗子片３１ａが同軸ケーブル１１の中心導体１２に直接に接続されているため、簡易な構成のバイポーラ止血鉗子を実現できる。なお、本発明は、バイポーラ止血鉗子には限定されず、開閉可能な一対の電極となる第１可動アームおよび第２可動アームを備えるバイポーラナイフ等にも適用可能であるとともに、電極としての機能を持たない鉗子片を備える鉗子型処置具にも適用が可能である。
【００４９】
また、本実施形態に係る内視鏡用マイクロ波照射器具１は、中心導体１２の露出部分１２ａと、外部導体１４に接続されたプルワイヤ１４ａとが絶縁チューブ１６，１７などによって互いに絶縁されるとともに、第１鉗子片３１ａと第２鉗子片３１ｂとが回動軸Ｌ付近で絶縁スペーサ３３により互いに絶縁されている。これにより、本実施形態に係る内視鏡用マイクロ波照射器具１は、第１鉗子片３１ａおよび第２鉗子片３１ｂの先端部にマイクロ波を集中させて、第１鉗子片３１ａおよび第２鉗子片３１ｂに把持された生体組織に対して効率的な焼灼を行うことができる。
【００５０】
また、本実施形態に係る内視鏡用マイクロ波照射器具１は、両側保持部材３２および絶縁スペーサ３３により第１鉗子片３１ａおよび第２鉗子片３１ｂの回動軸Ｌの位置をアウタシース１０に対して固定することができる。
【００５１】
また、本実施形態に係る内視鏡用マイクロ波照射器具１は、同軸ケーブル１１がアウタシース１０内で軸線方向に変位するとき、中心導体１２の露出部分１２ａと外部導体１４に接続されたプルワイヤ１４ａとに操作力が伝達されることによって、第１鉗子片３１ａおよび第２鉗子片３１ｂをそれらの先端側で開閉動させることができる。
【符号の説明】
【００５２】
１  内視鏡用マイクロ波照射器具
１０  アウタシース
１１  同軸ケーブル
１２  中心導体
１２ａ  露出部分
１３  筒状絶縁体
１４  外部導体
１４ａ  プルワイヤ
１５  絶縁被覆部
１６，１７  絶縁チューブ
３０  マイクロ波照射部
３１  鉗子部
３１ａ  第１鉗子片
３１ｂ  第２鉗子片
３２  両側保持部材
３２ａ，３２ｂ  平行アーム部
３２ｃ  環状部
３３  絶縁スペーサ
３４  回動軸部
【図１】
2020163001.tif 000003
【図２】
2020163001.tif 000004
【図３】
2020163001.tif 000005
【図４】
2020163001.tif 000006
【図５】
2020163001.tif 000007
【図６】
2020163001.tif 000008